(57)【特許請求の範囲】
【請求項１】
ロール紙から引き出された記録紙に印字を行う印字機構と、第1のロール紙の外周面の一部と当接して支持する一対の第１の当接底部及び第２の当接底部を有する底部と、前記第1のロール紙の端面と当接可能な部分であって前記底部を挟んで互いに略平行に設けられた一対の第１の当接側部及び第２の当接側部とを有するロール紙ホルダと、前記ロール紙ホルダの前記第１の当接側部と前記第２の当接側部の間に装着されるものであって、前記第1のロール紙より幅の狭い第２のロール紙の端面と当接可能な第３の当接側部と、前記第３の当接側部の前記第１の当接側部側に前記第３の当接側部と略直交する方向に設けられ、前記ロール紙ホルダの第１の当接底部とともに前記第２のロール紙の外周面と当接して支持する第３の当接底部とを有する仕切り部材と、前記第１の当接側部と前記第３の当接側部が所定の間隔をおいて略平行となるように前記仕切り部材を前記ロール紙ホルダに装着可能な連結機構とを備え、前記ロール紙ホルダの前記底部には、更に、前記第１の当接底部及び第２の当接底部との間に配置され、前記ロール紙と接触しないように、前記第１の当接底部及び第２の当接底部より低くなるようにされた非当接底部が設けられると共に、前記仕切り部材の前記第３の当接底部の厚さは、前記仕切り部材が前記第１の当接側部と前記第２の当接側部の間に装着されて該第３の当接底部が前記非当接底部に当接した場合、該第３の当接底部の上面と前記ロール紙ホルダの前記第１の当接底部の上面とが同一面上に含まれるように設定されていることを特徴とするプリンタ。
【請求項２】
前記連結機構は、前記仕切り部材が前記第２のロール紙又は前記第２のロール紙より幅の狭い第３のロール紙を支持可能とするために前記第１の当接側部と前記第３の当接側部との間隔を複数段に設定可能な位置決め係止部を有していることを特徴とする請求項１記載のプリンタ。
【請求項３】
前記連結機構は、スナップフィット機構を有していることを特徴とする請求項１記載のプリンタ。
【請求項４】
前記連結機構は、前記仕切り部材には、前記第３の当接側部から部分的に離された前記第３の当接底部の弾性当接部と係合部とが設けられ、前記ロール紙ホルダには、前記係合部が係止する取り付け係止部が設けられていることを特徴とする請求項３記載のプリンタ。
【請求項５】
前記連結機構は、前記ロール紙ホルダの下部において前記ロール紙ホルダと前記仕切り部材とが係合する下部係合部と、前記第２の当接側部の上端部において前記ロール紙ホルダと前記仕切り部材とが係合する上部係合部とを有していることを特徴とする請求項１乃至４のいずれかに記載のプリンタ。
【請求項６】
前記連結機構の前記上部係合部は、前記ロール紙ホルダの前記上端部より突出する突出部と、前記仕切り部材に配置された前記突出部と係合する孔部により構成されていることを特徴とする請求項５記載のプリンタ。
【請求項７】
前記仕切り部材は、透明な材質で形成されていることを特徴とする請求項１又は２記載のプリンタ。
【請求項８】
前記仕切り部材は、前記底部に設けられた前記第１の当接側部と平行な案内面若しくは前記第２の当接側部と当接すると前記第１の当接側部と前記第３の当接側部とが所定の幅となる移動規制部を備えたことを特徴とする請求項１乃至７のいずれかに記載のプリンタ。
【請求項９】
前記移動規制部は、前記第３の当接側部から前記第３の底部とは反対側に形成され、前記第２の当接側部と当接可能な第１の幅規制部及び該第１の幅規制部より短い第２の幅規制部を備え、前記第１の幅規制部は、前記第３の当接側部から分離可能に構成されていることを特徴とする請求項８記載のプリンタ。
【請求項１０】
前記第１の幅規制部は、前記第３の当接側部との近傍に溝部が形成されていることを特徴とする請求項９記載のプリンタ。
【発明の詳細な説明】
【０００１】
【発明の属する技術分野】
本発明は、例えば、ロール紙に感熱方式により印字を行うプリンタに関し、特に、異なる紙幅をもつ数種のロール紙を支持可能なロール紙ホルダを備えたプリンタに関する。
【０００２】
【従来の技術】
一般に、この種のプリンタは、ロール紙を収容できるように略箱状に形成されたロール紙ホルダを有しており、このロール紙ホルダから所定の紙経路に沿って記録紙を引き出すように構成されている。
【０００３】
ところで、従来のロール紙ホルダは、一定の規格幅をもつロール紙を収容可能な大きさに形成されているが、このロール紙の幅より小さい幅をもつロール紙を使用する必要もある。
【０００４】
そこで、従来、ロール紙ホルダ内の所定の位置に仕切り板を配置することによって、ロール紙ホルダ内に所望の大きさの空間部分を形成し、これにより、ロール紙ホルダを、異なる紙幅をもつ数種のロール紙に対応させるようにしている。
【０００５】
【発明が解決しようとする課題】
しかしながら、このような従来のプリンタにおいては、仕切り板をロール紙ホルダ内に装着する際、仕切り板が、ロール紙ホルダの底部分から浮いて取り付けられたり、ロール紙ホルダ内の側面に対して斜めに取り付けられることがあった。
【０００６】
その結果、仕切り板とロール紙ホルダの底部との間に生じた隙間に、ロール紙から引き出された記録紙が挟まったり、傾いた仕切り板にロール紙の端面が当接してこの状態のロール紙から引き出された記録紙が斜行するなど、従来技術のように仕切り板をロール紙ホルダに用いるだけでは、ロール紙を、ロール紙ホルダのみで支持する場合と同じ状態で支持することができなかった。
【０００７】
本発明は、このような従来の技術の課題を解決するためになされたもので、その目的とするところは、数種の紙幅をもつロール紙のすべてを同じ状態で安定して支持しうるロール紙ホルダを備えたプリンタを提供することにある。
【０００８】
【課題を解決するための手段】
上記目的を達成するためになされた本発明は、ロール紙から引き出された記録紙に印字を行う印字機構と、第1のロール紙の外周面の一部と当接して支持する一対の第１の当接底部及び第２の当接底部を有する底部と、前記第1のロール紙の端面と当接可能な部分であって前記底部を挟んで互いに略平行に設けられた一対の第１の当接側部及び第２の当接側部とを有するロール紙ホルダと、前記ロール紙ホルダの前記第１の当接側部と前記第２の当接側部の間に装着されるものであって、前記第1のロール紙より幅の狭い第２のロール紙の端面と当接可能な第３の当接側部と、前記第３の当接側部の前記第１の当接側部側に前記第３の当接側部と略直交する方向に設けられ、前記ロール紙ホルダの第１の当接底部とともに前記第２のロール紙の外周面と当接して支持する第３の当接底部とを有する仕切り部材と、前記第１の当接側部と前記第３の当接側部が所定の間隔をおいて略平行となるように前記仕切り部材を前記ロール紙ホルダに装着可能な連結機構とを備え、前記ロール紙ホルダの前記底部には、更に、前記第１の当接底部及び第２の当接底部との間に配置され、前記ロール紙と接触しないように、前記第１の当接底部及び第２の当接底部より低くなるようにされた非当接底部が設けられると共に、前記仕切り部材の前記第３の当接底部の厚さは、前記仕切り部材が前記第１の当接側部と前記第２の当接側部の間に装着されて該第３の当接底部が前記非当接底部に当接した場合、該第３の当接底部の上面と前記ロール紙ホルダの前記第１の当接底部の上面とが同一面上に含まれるように設定されていることを特徴とする。
【０００９】
本発明の場合、仕切り部材が第３の当接側部と第３の当接底部とを備えているから、仕切り部材がロール紙ホルダの底部分から浮いて取り付けられたとしても、第３の当接側部と第３の当接底部との間には隙間が生じるわけではないからロール紙から引き出された記録紙が挟まることはなく、第２の当接側部及び第２の当接底部と同じ状態でロール紙の外周面を支持することができる。
【００１０】
また、本発明において、前記連結機構は、前記仕切り部材が前記第２のロール紙又は前記第２のロール紙より幅の狭い第３のロール紙を支持可能とするために前記第１の当接側部と前記第３の当接側部との間隔を複数段に設定可能な位置決め係止部を有していることは効果的である。
【００１１】
本発明によれば、仕切り部材を、数箇所でロール紙ホルダに位置決めされるようにしたことから、一つの仕切り部材で複数の種類のロール紙に対応させることができる。
【００１２】
また、本発明において、前記連結機構が、スナップフィット機構を有していることは、着脱が容易であることから望ましい。
【００１３】
また、本発明において、前記仕切り部材には、前記第３の当接側部から部分的に離された前記第３の当接底部の弾性当接部と係合部とが設けられ、前記ロール紙ホルダには、前記係合部が係止する取り付け係止部が設けられていることも効果的である。
【００１４】
本発明によれば、仕切り部材の第３の当接底部のうち、前方当接部を弾性をもってロール紙ホルダと係合するようにしたことから、仕切り部材を押し込むだけで容易にロール紙ホルダに装着できるとともに、仕切り部材の第３の当接底部をロール紙ホルダに密接させることができる。
【００１５】
また、本発明において、前記連結機構は、前記ロール紙ホルダの下部において前記ロール紙ホルダと前記仕切り部材とが係合する下部係合部と、前記第２の当接側部の上端部において前記ロール紙ホルダと前記仕切り部材とが係合する上部係合部とを有していること、あるいは、前記連結機構の前記上部係合部は、前記ロール紙ホルダの前記上端部より突出する突出部と、前記仕切り部材に配置された前記突出部と係合する孔部により構成されていることは仕切り部材の姿勢を規定したり、装着し易さから望ましい。
【００１６】
更には、本発明において、前記仕切り部材を透明な材質で形成することは、ロール紙ホルダの係合箇所を仕切り部材を透して視認できるから装着する際の作業性は大きく向上するものである。
【００１７】
また更には、本発明において、前記仕切り部材に、前記底部に設けられた前記第１の当接側部と平行な案内面若しくは前記第２の当接側部と当接すると前記第１の当接側部と前記第３の当接側部とが所定の幅となる移動規制部を備えることも効果的である。
【００１８】
上記構成より、移動規制部と前記案内面若しくは前記第２の当接側部とを当接させながら前記仕切り部材を前記ロール紙ホルダに装着すると、前記仕切り部材を前記第２のロール紙若しくは前記第３のロール紙のどちらか一方のみ支持可能な所定位置に装着することができるので装着の作業性は大きく向上する。
【００１９】
また、本発明において、前記移動規制部は、前記第３の当接側部から前記第３の底部とは反対側に形成され、前記第２の当接側部と当接可能な第１の幅規制部及び該第１の幅規制部より短い第２の幅規制部を備え、前記第１の幅規制部は、前記第３の当接側部から分離可能に構成してもよく、その場合、前記第１の幅規制部には、前記第３の当接側部との近傍に溝部を形成することが望ましい。
【００２０】
【発明の実施の形態】
以下、本発明に係るプリンタの好ましい実施の形態を図面を参照して詳細に説明する。
【００２１】
図１は、本実施の形態のプリンタについてロール紙カバーが開いた状態の概略構成を示す側面図である。図２は、プリンタについてロール紙カバーが開いた状態の概略構成を示す斜視図である。図３は、プリンタについてロール紙カバーが閉じた状態の概略構成を示す側面図である。
【００２２】
図４（ａ）は、本実施の形態の仕切り部材の概略構成を示す斜視図、図４（ｂ）は、本実施の形態のロール紙ホルダの概略構成を示す斜視図である。図５は、仕切り部材がロール紙ホルダに装着された状態を示す斜視図である。
【００２３】
図１に示すように、本実施の形態のプリンタ１は、開口部を有する本体ケース２と、その開口部を塞ぐ大きさのロール紙カバー３とを有している。本体ケース２とロール紙カバー３は、それぞれ樹脂を用いて形成され、本体ケース２は、長方形状の底部と、この底部を囲むように設けられた壁部とから略直方体状に形成される一方、ロール紙カバー３は、長方形の平板状に形成されている。
【００２４】
ここで、本実施の形態のプリンタ１は、縦置き又は横置きのいずれかの設置態様を選択しうるものであり、図１のプリンタ１は、横置きにした状態のものを示している。そして、上述した本体ケース２を、プリンタ１を横置きにした場合の底部となる第１の設置部２ａとし、この状態において、本体ケース２の壁部のうち、本体ケース２の前方側（図１の右側）の壁部をフロント部２ｂとし、本体ケース２の後方側の壁部を、プリンタ１を縦置きにした場合の底部となることから第２の設置部２ｃとする。
【００２５】
さらに、かかる状態において、本体ケース２の左側（図１の手前側）の壁部を、第１の側壁部２ｅとし、本体ケース２の右側（図１の奥側）の壁部を、第２の側壁部２ｄとする。以下の記載においては、本体ケース２の第１の設置部２ａを下側にした場合を基準としてプリンタ１の上下方向及び前後方向とする。
【００２６】
図１又は図３に示すように、本体ケース２の内部には、ロール紙Ｓを収容可能なロール紙ホルダ４が設けられている。このロール紙ホルダ４は、底部４ａと、その底部４ａを挟むように設けられた一対の側部（４ｂ、４ｃ）とを有し、樹脂を用いて略箱状に一体的に形成されている。ここで、ロール紙ホルダ４の側部のうち、本体ケース２の第１の側壁部２ｅと対向する側部を第１の当接側部４ｃとし、本体ケース２の第２の側壁部２ｄと対向する側部を第２の当接側部４ｂとする。
【００２７】
図４（ｂ）又は図５に示すように、ロール紙ホルダ４の底部４ａは、所定のロール紙幅Ｗ１（例えば８０mm）より若干大きい幅で略凹曲面状に形成されている。
【００２８】
ロール紙ホルダ４の底部４ａのうち、第２の当接側部４ｂ側の端部分には、第２の当接底部４１が、ロール紙Ｓの外周面Ｓ１の一方の端部分と当接できるように、所定幅Ｌで設けられている。この第２の当接底部４１は、ロール紙ホルダ４の前方側から底中央部分まで所定の曲率で形成された前方当接部４１ａと、この端部からつながって若干斜め下方に傾いて形成された下方当接部４１ｂと、この端部から所定の間隔をおいた部分に向かってロール紙ホルダ４の後方上側から斜め下方に傾くように形成された後方当接部４１ｃとから構成されている。
【００２９】
また、ロール紙ホルダ４の底部４ａのうち、第１の当接側部４ｃ側の端部分には、第１の当接底部４２が、ロール紙Ｓの外周面Ｓ１の他方の端部分と当接できるように、第２の当接底部４１と同一の幅Ｌで設けられている。この第１の当接底部４２は、上述した第２の当接底部４１の前方当接部４１ａ、下方当接部４１ｂ及び後方当接部４１ｃとそれぞれ同一形状のもの（４２ａ、４２ｂ、４２ｃ）が、ロール紙ホルダ４の底部４ａの円周方向の同一位置に配列されている。
【００３０】
また、ロール紙ホルダ４の底部４ａのうち、第１の当接底部４２及び第２の当接底部４１のそれぞれの下方当接部４２ｂ、４１ｂと後方当接部４２ｃ、４１ｃの間には、小径のロール紙Ｓ若しくはロール紙Ｓの芯（不図示）を支持するための溝部４３が形成されている。
【００３１】
これにより、ロール紙Ｓは巻き戻されると後方に転がり後方当接部４２ｃ、４１ｃと下方当接部４２ｂ、４１ｂにより支持される。ロール紙Ｓの外径が小さくなりラインサーマルプリンタのように連続して記録紙Ｓ５が搬送される場合、ロール紙Ｓは巻き戻されることなく下方当接部４２ｂ、４１ｂ上を紙送り方向へ移動することがある。この場合、ロール紙Ｓは前方当接部４２ａ、４１ａに当接した後に後方へ巻き戻しながら回転される。
【００３２】
なお、図２に示すように、ロール紙ホルダ４の第１の当接側部４ｃには、紙残量が僅かであることを検出するための紙残量検出器４４が設けられている。この紙残量検出器４４は、プリンタ１を横置き又は縦置きにした場合に応じて選択的に設置されるようになっている。
【００３３】
図４（ｂ）に示すように、ロール紙ホルダ４の第１の当接底部４２と第２の当接底部４１との間には、第１の底部４５及び第２の底部４６が、ロール紙Ｓと接触しないように、第１の当接底部４２及び第２の当接底部４１より低くなるように設けられている。
【００３４】
第１の底部４５は、所定の幅で第２の当接底部４１と隣接して配置されており、第１の当接底部４２及び第２の当接底部４１の底部分より薄い底部分からなっている。そして、第２の当接底部４１の前方当接部４１ａ及び後方当接部４１ｃのそれぞれの側面４１ａ１、４１ｃ１が、第１の底部４５の第２の底部４１側に第１の当接側部４ｃ及び第２の当接側部４ｂと平行に形成されている。
【００３５】
また、溝部４３の後方側は一部が開口され、後述する仕切り板７の係止部７８が係合する係止縁部４５ｂが形成されている。また、この開口の近傍であって溝部４３には仕切り部材７の幅方向の位置を決めるための仕切り部材７と係合する位置決め突起４３ａが形成されている。
【００３６】
第２の底部４６は、所定の幅で第１の底部４５と第１の当接底部４２との間に配置されている。この第２の底部４６は、第１の当接底部４２及び第２の当接底部４１のそれぞれの前方当接部４２ａ、４１ａ、下方当接部４２ｂ、４２ｃ、４１ｂ、４１ｃ及び後方当接部４２ｃ、４１ｃと略同一形状であってこれらより所定の厚さ分だけ薄いもの（４６ａ、４６ｂ、４６ｃ）からなっている。これにより、第２の底部４６と第１の当接底部４２とは、所定の深さで段差状に並列して配置されるようになっている。
【００３７】
一方、ロール紙ホルダ４の第１の当接側部４ｃ及び第２の当接側部４ｂは、略半円の平板状に形成され、ロール紙Ｓの端面の一部と当接できるように互いに平行に配置されている。ここで、図１に示すように、本体ケース２の第２の側壁部２ｄとロール紙ホルダ４の第２の当接側部４ｂとの間には、所定の設定を行うためのＤＩＰスイッチ５が設けられている。そして、ロール紙ホルダ４の第２の当接側部４ｂには、ＤＩＰスイッチ５の外形よりも大きく窪んだ凹部４０ｂが形成されている。
【００３８】
図３又は図５に示すように、ロール紙ホルダ４の底部４ａの前方側の先端部分には、テンション部材６が、ロール紙ホルダ４の幅方向に長く延びるように設けられている。
【００３９】
次に本発明の仕切り部材について  図４（ａ）、図６〜図８を用いて説明する。図６（ａ）は仕切り部材の第１の当接側部から視た斜視図、（ｂ）は幅規制部７５の説明図であり、図７は仕切り部材の横断面取り付け説明図、図８は仕切り部材の幅方向の取り付け説明図である。
【００４０】
本実施の形態のプリンタ１は、ロール紙ホルダ４に着脱可能な仕切り部材７を有している。この仕切り部材７は、例えば透明のポリカーボネイトの樹脂からなり、第３の当接側部７１と、第３の当接底部７２と、連結部７３とが一体的に形成されている。
【００４１】
仕切り部材７の第３の当接側部７１は、略半円の平板状に形成されている。この第３の当接側部７１の所定の部位には、ロール紙ホルダ４の第２の当接側部４ｂとほぼ同一形状の凹部７１ａが形成されている。また、第３の当接側部７１の先端部分には、略かぎ状の突部７１ｂが形成されている。一方、図５に示すように、テンション部材６には、第３の当接側部７１の突部７１ｂが差し込み可能となるように溝６ａが形成されている。
【００４２】
図４（ａ）に示すように、仕切り部材７の第３の当接底部７２は、第３の当接側部７１の周縁部分に、第３の当接側部７１と直交する方向に第２の当接底部４１と同一の幅をもって略帯状に設けられている。
【００４３】
また、第３の当接底部７２の内側の面は第２の当接底部４１と略同一に形成されている。詳述すると、第３の当接底部７２は、所定の曲率で凹曲面状に形成された前方当接部（弾性当接部）７２ａと、この端部からつながって若干斜め下方に傾いて平板状に形成された下方当接部７２ｂと、この端部から所定の間隔をおいた部位に向かって後方上側から斜め下方に傾いて平板状に形成された後方当接部７２ｃとからなっている。
【００４４】
さらに、仕切り部材７の第３の当接底部７２の各部分の厚さは、第３の当接底部７２がロール紙ホルダ４の第１の底部４５に当接した場合、第３の当接底部７２とロール紙ホルダ４の第１の当接底部４２のそれぞれの上面が同一面上に含まれるように、すなわち、第３の当接底部７２とロール紙ホルダ４の第１の当接底部４２とが、ともに、ロール紙Ｓ３の外周面Ｓ１の両端部分と当接できるように設定されている。
【００４５】
仕切り部材７の第３の当接底部７２のうち、前方当接部７２ａの前方部分には、第３の当接側部７１から切り離されるように溝７２ａ１が形成されている。これにより、第３の当接底部７２の前方当接部７２ａは、弾性変位可能に構成されている。  また、この前方当接部７２ａの先端部分には、フック状の係合フック部７２ａ２が形成されている。
【００４６】
一方、図４（ｂ）に示すように、ロール紙ホルダ４の第１の底部４５の前方側の先端部分には、仕切り部材７の前方当接部７２ａの係合フック部７２ａ２と係合可能な係止縁部４５ａが形成されている。
【００４７】
図４（ａ）に示すように、仕切り部材７の連結部７３は、第３の当接側部７１の第３の当接底部７２と反対側の部分に、凹部７１ａの底縁部分７１ａ１を含み第３の当接側部７１と直交する平面上に拡がるように、所定の大きさで略長方形平板状に設けられている。この連結部７３の端部分は、ロール紙ホルダ４の凹部４０ｂの底部分と嵌合可能な長さに形成されている。また、図５に示すように、連結部７３の縁部分には、所定の設定幅ｗの間隔をおいて２個の位置決め用の丸孔７４ａ、７４ｂを結合した位置決め孔（位置決め係止部）７４が所定距離離れて設けられている。
【００４８】
又、後方当接部７２ｃには位置決め孔７４と同一の幅ｗを隔てて形成された２つのＶ溝７７ａ、７７ｂを備えた下部位置決め部７７が形成されている。更には、図７に示すように、後方当接部７２ｃの後部側には後方当接部７２ｃの幅全体に沿って突出している係止部７８が形成されている。
【００４９】
図６に示すように、仕切り部材７の第３の当接側部７１の第３の当接底部７２と反対側の部分には、第１の幅規制部７５（７５ａ、７５ｂ、７５ｃ）が形成され、更には位置決め孔７４と同一の幅ｗだけ第１の幅規制部７５より短い第２の幅規制部７６が設けられている。そして、それぞれの第１の幅規制部７５の根元部にはＶ溝７５ｄが設けられており、これにより、第１の幅規制部７５の先端部７５ｆをＶ溝７５ｄのない方に変位させると、Ｖ溝７５ｄに応力が集中することによりＶ溝７５ｄから折れ、先端部７５ａは仕切り部材７から離脱するように構成されている。
【００５０】
一方、図４（ａ）に示すように、ロール紙ホルダ４の第２の当接側部４ｂの凹部４０ｂの底部分４０ｂ１には、そのような位置決め孔７４の各丸孔７４ａ、７４ｂと係合可能な係合突部４７が設けられている。ここで、仕切り部材７において、連結部７３の位置決め孔７４と第３の当接側部７１との位置関係は、仕切り部材７の第３の当接側部７１がロール紙ホルダ４の第１の当接側部４ｃとの間に、ロール紙ホルダ４自体が単独で支持できるロール紙幅Ｗ１より小さい２種のロール紙幅Ｗ２（例えば６０mm）、Ｗ３（例えば５８mm）をもつロール紙Ｓの端面と若干の隙間をもって当接可能な位置になるように決定されている。
【００５１】
図４（ｂ）に示すように、ロール紙ホルダ４の第１の当接側部４ｃ及び第２の当接側部４ｂの後方側の端部分には、それぞれ、軸受部４ｄ、４ｅが設けられている。一方、図２に示すように、ロール紙カバー３の後方側の両端部分には、それぞれ、軸受部３ａ、３ｂが形成されている。そして、ロール紙カバー３の軸受部３ａ、３ｂは、それぞれ、その両側で、ロール紙ホルダ４の軸受部４ｄ、４ｅ及び本体ケース２側の図示しない軸受部とともに、支持ピン８で貫通されることによりロール紙カバー３のヒンジ３ｃを構成している。これにより、ロール紙カバー３は、本体ケース２に開閉自在に支持されるようになっている。
【００５２】
図１又は図３に示すように、ロール紙ホルダ４側のテンション部材６と、本体ケース２のフロント部２ｂとの間には、感熱方式により印字を行うラインサーマルヘッド１１が設けられている。一方、ロール紙カバー３の先端部分３ｂには、プラテンローラ１２が回動自在に設けられている。このプラテンローラ１２は、ロール紙カバー３が閉じられた場合、サーマルヘッド１１と接触し、このようなサーマルヘッド１１とプラテンローラ１２とから本実施の形態の印字機構１０が構成されるようになっている。さらに、プラテンローラ１２はパルスモータ（不図示）によって回転されるよう構成されている。
【００５３】
なお、図１又は図３に示すように、本体ケース２内のサーマルヘッド１１の上方部位には、可動刃５１を移動可能に構成された可動刃装置５２が設けられている。一方、ロール紙カバー３の先端部分の所定の部位には、固定刃５３が設けられ、ロール紙カバー３が閉じられた場合、可動刃装置５２の可動刃５１と交叉摺動可能な位置に配置されるようになっている。
【００５４】
かかる構成を有する本実施の形態においては、ロール紙幅Ｗ１のロール紙Ｓを使用する場合、このロール紙Ｓを、仕切り部材７を用いずにそのままのロール紙ホルダ４に装填する。この場合、ロール紙Ｓは、第１の当接底部４２及び第２の当接底部４１により外周面Ｓ１の両端部分を支持され、ロール紙ホルダ４の第１の当接側部４ｃ及び第２の当接側部４ｂと両端面が当接することにより幅方向の移動が規制される。
【００５５】
そして、印字を行う際にプラテンローラ１２が回転されてロール紙Ｓから記録紙Ｓ５が引き出されると、ロール紙Ｓが回転される。この場合、ロール紙Ｓは、その外周面Ｓ１が、すなわち、感熱記録側が、ロール紙ホルダ４の第１の当接底部４２及び第２の当接底部４１の一部のみで接触するため、ロール紙Ｓの感熱材料を塗布した部分は損傷しない。
【００５６】
一方、ロール紙幅Ｗ３のロール紙を使用する場合にあっては、まず、仕切り部材７をロール紙ホルダ４に装着する。
【００５７】
この装着作業を詳述すると、仕切り部材７を第２の当接側部４ｂ側に寄せ第１の幅規制部７５ａ、７５ｂ、７５ｃの端面７５ｅを第２の当接側部４ｂに当接させながら仕切り部材７の係止部７８を係止縁部４５ｂに係合させて、ロール紙ホルダ４の底部４ａに向けて押し込む。第３の当接底部７２の底面は、ロール紙ホルダ４の第１の底部４５を覆った状態となり、連結部７３は、ロール紙ホルダ４の凹部４０ｂの底部４０ｂ１と、仕切り部材７の凹部７１ａの底縁部分７１ａ１とが当接状態となる。
【００５８】
その後、仕切り部材７の前方当接部７２ａの曲率半径を小さくするように押し込んで、係合フック部７２ａ２をロール紙ホルダ４の係止縁部４５ａに係合させる。これにより、仕切り部材７は、第３の当接底部７２をロール紙ホルダ４の第１の底部４５上を押圧した状態で、ロール紙ホルダ４に固定される。
【００５９】
これらの作業により、下部位置決め部７７のＶ溝７７ｂが位置決め突起４３ａと係合し、仕切り部材７の連結部７３の位置決め孔７４のうち、第３の当接側部７１から奥側の丸孔７４ｂが、ロール紙ホルダ４の第１の当接側部４ｂの係合突部４７と係合する。仕切り部材７は、上部で２カ所、下部で１カ所の幅方向の位置が決定され、仕切り部材３の第３の当接側部７１は第１の当接側部４ｃに平行に取り付けられる。
【００６０】
この場合、第１の幅規制部７５が第２の当接側部４ｂと当接し、仕切り部材７の第２の当接側部４ｂへ移動を規制するので、下部位置決め部７７のＶ溝７７ａと位置決め突起４３ａ及び手前側の丸孔７４ａと係合突部４７とは係合することはない。従って、ただ単に仕切り部材７を第１の当接側部４ｂに押し付けながら装着すると紙幅Ｗ３のロール紙仕様にすることができることから、作業性の向上を図るとともに誤装着を防ぐことができる。
【００６１】
その後、ロール紙ホルダ４内で仕切り部材７によって仕切られた空間部分に紙幅Ｗ３のロール紙Ｓ３を装填する。この場合、ロール紙Ｓ３の外周面Ｓ１の端部のうち、ロール紙ホルダ４の第１の当接底部４２及び第１の当接側部４ｃによって支持された端部と反対側の端部を、仕切り部材７の第３の当接底部７２及び第３の当接側部７１によって、ロール紙ホルダ４の第２の当接底部４１及び第２の当接側部４ｂと同じように支持するようにしたため、ロール紙Ｓ３およびロール紙から引き出された記録紙は、仕切り部材７を用いずにロール紙ホルダ４単独で支持される場合と同じ状態で支持される。
【００６２】
次にロール紙ホルダをロール紙幅Ｗ２のロール紙用に設定する場合について説明する。この場合、仕切り部材７の第１の幅規制部７５ａ、７５ｂ、７５ｃをＶ溝７５ｄのない方に変位させ、折って仕切り部材７から除去する。次に、第２の幅規制部７６の端面７６ａを第２の当接側部４ｂに当接させながら仕切り部材７の係止部７８を係止縁部４５ｂに係止させて、ロール紙ホルダ４の底部４ａに向けて押し込む。その後の作業はロール紙幅Ｗ３の場合と同様である。
【００６３】
これらの作業により、仕切り部材７は第２の幅規制部７６によって案内されるので第１の幅規制部７５ａ等に案内される場合に比して設定幅ｗだけ第２の当接側部４ｂに近寄ることから、位置決め突起４３ａは下部位置決め部７７のＶ溝７７ａと係合し、ロール紙ホルダ４の第２の当接側部４ｂの係合突部４７は位置決め孔７４の丸孔７４ａと係合して、ロール紙ホルダはロール紙幅Ｗ２のロール紙用に決定される。
【００６４】
以上述べたように本実施の形態によれば、仕切り部材７のうち、第３の当接側部７１を、ロール紙ホルダ４の第１の当接側部４ｃに対して平行な状態を保ったまま位置決めするとともに、第３の当接底部７２を、その第２の当接底部４１と同じように、第１の当接底部４２とともにロール紙の外周面Ｓ１を支持するようにしたことから、ロール紙の最外周の紙が弛んだとしても仕切り部材の当接底部と当接側部との間には隙間が無いので従来の技術で発生した記録紙が挟まることによる課題は発生しない。よって、仕切り部材７を用いるか否かに関わらずにロール紙ホルダ４内で、異なる紙幅（Ｗ１、Ｗ２、Ｗ３）をもつ数種のロール紙のすべてを同じ状態で安定して支持することができる。
【００６５】
また、本実施の形態によれば、仕切り部材７の第３の当接底部７２のうち、前方当接部７２ａを弾性変位させてロール紙ホルダ４と係合するようにしたことから、仕切り部材７を押し込むだけで容易にロール紙ホルダ４に装着できるとともに、その弾性力によりロール紙ホルダに圧接した状態で確実に装着される。この仕切り部材７を取り外すには、マイナスドライバーの先端を上部から差し込んで係合フック部７２ａ２と係止縁部４５ａとの係合を外すと、弾性力により仕切り部材７は上方に浮き上がるので簡単に外すことができる。
【００６６】
さらに、本実施の形態によれば、仕切り部材７を、数箇所でロール紙ホルダ４に位置決めされるようにしたことから、一つの仕切り部材７で複数の種類のロール紙に対応させることができる。
【００６７】
また、本実施の形態のように仕切り部材７を透明にしたことにより、第１の幅規制部７５ａ、７５ｂ、７５ｃを折って仕切り部材７から除去してロール紙幅Ｗ２の仕様にした後にロール紙幅Ｗ３の仕様にする場合、下部位置決め部７７のＶ溝７７ｂを位置決め突起４３ａに、位置決め孔７４の丸孔７４ｂを係合突部４７に係合させ易く、目視によって容易に確認できる。
【００６８】
なお、本発明は上述の実施の形態に限られることなく、種々の変更を行うことができる。
【００６９】
例えば、上記実施の形態において、仕切り部材７の位置決め孔７４を２箇所の位置を決定するようにしたが、本発明は、これに限られることなく、仕切り部材７の位置決め孔７４を３箇所以上の位置を決定するようにすることもでき、これにより、仕切り部材７を用いてロール紙ホルダ４が支持できるロール紙の種類を増やすことができる。
【００７０】
また、仕切り部材７を装着する際、幅規制部７５を第２の当接側面４ｂに当接させて装着したが、第１の当接底部４１の側面４１ａ１、４１ｃ１をガイド面としても構わなく、その場合、ロール紙幅Ｗ２仕様にするには、第３の当接側部７１の当接底部とは反対側の面と当接させればよく、ロール紙幅Ｗ３の仕様にするには、第３の当接底部７２の側面７２ｃ１、７２ａ３を第２の底部４６の側面４６ａ１、４６ｃ１に当接させながら装着すればよい。
【００７１】
【発明の効果】
以上述べたように本発明によれば、ロール紙ホルダ内で仕切り部材を用いてロール紙を収容した場合でも、これを用いずに単独でロール紙ホルダにロール紙を収容した場合でも、これらに関わらずに、異なる紙幅をもつ数種のロール紙のすべてを同じ状態で安定して支持することができる。
【００７２】
また、本発明によれば、仕切り部材の第３の当接底部を弾性をもってロール紙ホルダと係合するようにしたことから、仕切り部材を押し込むだけで容易にロール紙ホルダに装着できる。
【００７３】
さらに、本発明によれば、仕切り部材を、数箇所でロール紙ホルダに位置決めされるようにしたことから、一つの仕切り部材で複数の種類のロール紙に対応させることができる。
【図面の簡単な説明】
【図１】本実施の形態のプリンタについてロール紙カバーが開いた状態の概略構成を示す側面図である。
【図２】同プリンタについてロール紙カバーが開いた状態の概略構成を示す斜視図である。
【図３】同プリンタについてロール紙カバーが閉じた状態の概略構成を示す側面図である。
【図４】（ａ）：本実施の形態の仕切り部材の概略構成を示す斜視図である。
（ｂ）：本実施の形態のロール紙ホルダの概略構成を示す斜視図である。
【図５】同仕切り部材が同ロール紙ホルダに取り付けられた状態を示す斜視図である。
【図６】本実施の形態の仕切り部材の第１の当接側部側の斜視図および部分説明図である。
【図７】本実施の形態の仕切り部材の横断面取り付け説明図である。
【図８】本実施の形態の仕切り部材の幅方向の取り付け説明図である。
【符号の説明】
４      ロール紙ホルダ
４ｂ    第２の当接側部
４ｃ    第１の当接側部
４１    第２の当接底部
４２    第１の当接底部
７      仕切り部材
７１    第３の当接側部
７２    第３の当接底部
７２ａ  前方当接部（弾性当接部）
７３    連結部
７４    位置決め孔（位置決め係止部）
１０  印字機構
【図１】
0004710162.tif 000002
【図２】
0004710162.tif 000003
【図３】
0004710162.tif 000004
【図４】
0004710162.tif 000005
【図５】
0004710162.tif 000006
【図６】
0004710162.tif 000007
【図７】
0004710162.tif 000008
【図８】
0004710162.tif 000009